(57)【要約】  本発明の実施形態は、壁面、屋根、及び開閉可能な入口と出口が形成され、防疫対象車両を収容する防疫ハウジングと、防疫ハウジングに進入した車両に洗浄液を噴射する洗浄液噴射部と、防疫ハウジングに進入した車両を中心に前後方向に移動して車両の上部及び側部に消毒液を噴射する第１消毒噴射部と、防疫ハウジングの床面に設置され、左右方向に回転しながら車両の下部に消毒液を噴射する第２消毒噴射部とを含む、回転及び移動型噴射装置が備えられた拠点防疫システムを提供することができる。【選択図】図２
2022501158.tif 000002
【特許請求の範囲】
【請求項１】
壁面、屋根（６１０）、及び開閉可能な入口と出口が形成され、防疫対象車両を収容する防疫ハウジング（６００）と、
防疫ハウジング（６００）に進入した車両に洗浄液を噴射する洗浄液噴射部（３４０）と、
防疫ハウジング（６００）に進入した車両を中心に前後方向に移動して車両の上部及び側部に消毒液を噴射する第１消毒噴射部（３５０）と、
防疫ハウジング（６００）の床面に設置され、左右方向に回転しながら車両の下部に消毒液を噴射する第２消毒噴射部（３６０）とを含む、回転及び移動型噴射装置が備えられた拠点防疫システム。
【請求項２】
第１消毒噴射部（３５０）を防疫ハウジング（６００）の内側で前後方向に移動させる上部レール駆動部（４６０）と、
第２消毒噴射部（３６０）の回転範囲を調節する下部回転調節部（４７０）と、
上部レール駆動部（４６０）及び下部回転調節部（４７０）を制御する制御部（４１０）とをさらに含み、
上部レール駆動部（４６０）は、
防疫ハウジング（６００）の両側壁面からそれぞれ一方向に延長されるレール（４６７）と、
レール（４６７）の上面に沿って移動し、一面で連結された第１消毒噴射部（３５０）を移動させるレール台車（４６２）と、
レール台車（４６２）の移動有無を検知するリミットセンサー（４６５）と、
レール台車（４６２）の駆動力を発生させる第１モーター（４６１）とを含み、
制御部（４１０）は、リミットセンサー（４６５）の検知信号に基づいて第１モーター（４６１）を制御してレール台車（４６２）の移動方向に転換させることを特徴とする、請求項１に記載の回転及び移動型噴射装置が備えられた拠点防疫システム。
【請求項３】
上部レール駆動部（４６０）は、
レール（４６７）の上面に固定され、レール台車（４６２）の移動を阻止するストッパー（４６６）と、
レール（４６７）から延長されてリミットセンサー（４６５）を支持するセンサー支持ブラケット（４６４）とをさらに含む、請求項２に記載の回転及び移動型噴射装置が備えられた拠点防疫システム。
【請求項４】
レール台車（４６２）は、
第１モーター（４６１）から連結される上部回転軸（４６３）によって伝達される回転力にてレール（４６７）の上面で回転する一つ以上の回転ローラーと、
一方向に突出延長され、リミットセンサー（４６５）を打撃する検知板（４６２ａ）とを含むことを特徴とする、請求項３に記載の回転及び移動型噴射装置が備えられた拠点防疫システム。
【請求項５】
リミットセンサー（４６５）は、
レール台車（４６２）が接触すると、回転する棒状のセンサーであることを特徴とする、請求項４に記載の回転及び移動型噴射装置が備えられた拠点防疫システム。
【請求項６】
レール台車（４６２）に一体型に固定され、第１消毒噴射部（３５０）を支持する支持フレーム（３７０）をさらに含み、
支持フレーム（３７０）は、
上側でレール台車（４６２）の一面に固定されて直立する一対の側部（３７０ａ）と、
防疫ハウジング（６００）の天井側で一対の側部同士の間を連結する上部（３７０ｂ）とを含み、
側部（３７０ａ）は、
垂直方向に延長されて相互離隔する一対の垂直バー（３７１）と、
垂直バー（３７１）同士の間で水平に延長される複数個の水平バー（３７２）とを備え、
上部（３７０ｂ）は、
側部（３７０ａ）の上端から相互離隔して水平方向に延長される一対の下部延長バー（３７３）と、
下部延長バー（３７３）の上端から水平に延長される上部延長バー（３７４）と、
上部延長バー（３７４）と下部延長バー（３７３）との間でジグザグ状に連結されて固定させる連結バー（３７５）とを含む、請求項２に記載の回転及び移動型噴射装置が備えられた拠点防疫システム。
【請求項７】
第１消毒噴射部（３５０）は、
支持フレームの上部と側部からそれぞれ延長され、消毒液供給部（３２０）から連結される供給配管を介して消毒液の供給を受ける第１配管（３５２）と、
第１配管（３５２）における、垂直バー（３７１）に延長された区間で相互離隔するように設置され、消毒液を噴射する第１消毒ノズル（３５１）とを含む、請求項６に記載の回転及び移動型噴射装置が備えられた拠点防疫システム。
【請求項８】
第２消毒噴射部（３６０）は、
防疫ハウジング（６００）の床面において一方向に延長される第２配管（３６１）に相互離隔して設置され、消毒液を噴射する第２消毒ノズル（３６２）と、
第２配管（３６１）の上側を密閉し、第２消毒ノズル（３６２）が露出される開口が形成されて床面から一方向に延長及び固定される下部筐体（３６４）とを含み、
制御部（４１０）の制御によって第２配管（３６１）を回転させる第２モーター（４７１）と、
第２モーター（４７１）の回転軸に連結されて回転する検知棒（４７２）と、
第２モーター（４７１）の回転軸を中心に両側でそれぞれ検知棒（４７２）を検知し、制御部（４１０）に検知信号を出力する回転検知センサーとを含む、請求項２に記載の回転及び移動型噴射装置が備えられた拠点防疫システム。
【請求項９】
防疫ハウジング（６００）の入口側に設置され、車両を検知する第１センサー（４２１）、防疫ハウジング（６００）の内側に設置され、車両の位置を検知する第２センサー（４２２）、及び防疫ハウジング（６００）の出口に設置され、車両の進出有無を検知する第３センサー（４２３）を備えたセンサー部（４２０）と、
防疫ハウジング（６００）の入口側に設置され、車両番号を認識する車両認識器（１００）と、
消毒完了車両に、消毒済みの車両であることを証憑する情報が表示された消毒済証ステッカーを発券する消毒済証発券機（２００）とを含む、請求項１に記載の回転及び移動型噴射装置が備えられた拠点防疫システム。
【請求項１０】
消毒完了車両の車両番号が含まれている車両情報を受信する運営端末（５００）と、
運営端末（５００）から消毒された車両情報を受信及び格納するサーバー（２０）とをさらに含む、請求項９に記載の回転及び移動型噴射装置が備えられた拠点防疫システム。
【発明の詳細な説明】
【技術分野】
【０００１】
本発明は、回転及び移動型噴射装置が備えられた拠点防疫システムに関する。
【背景技術】
【０００２】
最近、全国的にＡＬ（鳥インフルエンザ）やＰＥＤ（豚流行性下痢）、口蹄疫などの疾病のために農家が被害を経験しており、国又は地方自治団体でも根本的に解決していない。
【０００３】
家畜を飼育する畜舎は、伝染病に非常に脆弱なので、複数の畜舎を出入りする車両により家畜伝染病が広く広がり、家畜伝染病による農家の経済的損失は非常に深刻である。
【０００４】
したがって、畜産農家では、外部から出入りする車両から伝染する伝染性疾病を予防するために、畜舎の入口に薬剤筒を設け、車両の外部表面又はタイヤの表面に薬剤を散布して消毒した。このような方式は、車両のタイヤ又は一定部分にのみ消毒が行われるだけであり、車両の全体的な部分には防疫することができないという問題点がある。
【０００５】
また、上述したような従来の防疫システムは、冬には消毒薬及び／又は車両の洗浄液などを供給及び噴射する配管及びノズルなどが凍ってまともな消毒及び／又は洗浄が行われることができないという問題点があった。
【０００６】
また、従来の防疫システムは、対象地域を出入りする車両に対して消毒したか否かを正確に把握することが容易でなく、既に消毒済みの車両に対して繰り返し消毒及び／又は洗浄が行われて不要な材料の消耗が激しく、又は逆に消毒が全く行われていない車両が出入りする場合があった。
【０００７】
つまり、従来の防疫システムは、対象地域を出入りする車両の防疫有無を確認することができる手段が全くない実情であった。
【０００８】
また、従来の防疫システムは、消毒液の噴射装置が固定型装置として備えられ、車両の移動中に撒布するか、或いは、指定された場所に消毒噴射装置が設置され、車両を指定された位置に停車するように誘導して消毒した。
【０００９】
このように従来の防疫システムは、指定された位置に車両を案内するために別途の案内員が必要であり、車両内に運転者が運転席に必ず搭乗した状態で行われなければならない。
【００１０】
つまり、従来の防疫システムは、車両の案内員と運転者の搭乗が必須前提条件であるので、作業人員がさらに必要であり、運転者が下車することができないので、車両の防疫後に運転者の防疫が別途行われることにより、車両１台当たりの防疫時間が長くなるという問題点があった。
【発明の概要】
【発明が解決しようとする課題】
【００１１】
そこで、本発明は、かかる従来の問題点を解決するために案出されたもので、その目的は、別途の案内員がなく、運転者の消毒が同時に行われることができるため、作業人員及び時間を減縮させることができる、回転及び移動型噴射装置が備えられた拠点防疫システムを提供することにある。
【００１２】
本発明の他の目的は、冬季に噴射ノズル及び／又は配管の凍結が防止できるように温水で消毒及び洗浄が行われることができる、回転及び移動型噴射装置が備えられた拠点防疫システムを提供することにある。
【課題を解決するための手段】
【００１３】
したがって、本発明は、上記の目的を達成するために、下記の実施形態を含むことができる。
【００１４】
本発明の実施形態は、壁面、屋根、及び開閉可能な入口と出口が形成され、防疫対象車両を収容する防疫ハウジングと、防疫ハウジングに進入した車両に洗浄液を噴射する洗浄液噴射部と、防疫ハウジングに進入した車両を中心に前後方向に移動して車両の上部及び側部に消毒液を噴射する第１消毒噴射部と、防疫ハウジングの床面に設置され、左右方向に回転しながら車両の下部に消毒液を噴射する第２消毒噴射部とを含む、回転及び移動型噴射装置が備えられた拠点防疫システムを提供することができる。
【発明の効果】
【００１５】
したがって、本発明は、室内に車両を誘導し、運転者が下車後に前後方向に移動しながら上部と側部を消毒し、左右方向に回転しながら下部を消毒することにより、車両の全体消毒時間を短縮させることができ、消毒液を車両全体にまんべんなく噴射することができる。
【００１６】
また、本発明は、冬季に温水を用いた消毒及び洗浄が可能であり、床面に設置された熱線を介して室内の温度を高めることができるため、凍破及び凍結が防止されることにより冬季防疫が容易であるという効果を得ることができる。
【図面の簡単な説明】
【００１７】
【図１】本発明に係る回転及び移動型噴射装置が備えられた拠点防疫システムを示すブロック図である。
【図２】拠点防疫センターの構成を簡略に示すブロック図である。
【図３】防疫ハウジングを示す正面図である。
【図４】防疫ハウジングの内部配置を簡略に示す平面図である。
【図５】防疫ハウジングの床面に設置された熱線の例を示す図である。
【図６】上部レール駆動部を簡略に示す図である。
【図７】上部レール駆動部のストッパー及びリミットセンサーを示す図である。
【図８】上部レール駆動部のリミットセンサーの動作を説明するための簡略図である。
【図９】下部回転調節部を簡略に示す平面図である。
【図１０】下部回転調節部の第２消毒噴射部の回転検知作用を簡略に示す正面図である。
【図１１】下部洗浄手段を簡略に示す平面図である。
【図１２】側部洗浄手段を簡略に示す図である。
【図１３】第１消毒噴射部と第２消毒噴射部を簡略に示す正面図である。
【図１４】支持フレームを示す斜視図である。
【図１５】配管支持手段を示す図である。
【図１６】第２消毒噴射部を簡略に示す図である。
【図１７】本発明に係る回転及び移動型噴射装置が備えられた拠点防疫システムの制御方法を示すフローチャートである。
【発明を実施するための形態】
【００１８】
本発明を十分に理解するために、本発明の好適な実施形態を添付図面を参照して説明する。本発明の実施形態は、様々な形態に変形することができ、本発明の範囲が、以下で詳細に説明する実施形態に限定されるものと解釈されてはならない。本実施形態は、当業分野における通常の知識を有する者に本発明をより完全に説明するために提供されるものである。
【００１９】
したがって、図面における要素の形状などは、明確な説明を強調するために誇張されて表現できる。各図面における同一の部材は同一の参照符号で示した場合があることを留意すべきである。また、本発明の要旨を不要に曖昧にするおそれがあると判断される公知の機能及び構成についての詳細な記述は省略される。
【００２０】
以下、本発明に係る回転及び移動型噴射装置が備えられた拠点防疫システムを添付図面を参照して詳細に説明する。
【００２１】
図１は本発明に係る回転及び移動型噴射装置が備えられた拠点防疫システムを示すブロック図、図２は拠点防疫センターの構成を簡略に示すブロック図である。
【００２２】
図１及び図２を参照すると、本発明は、車両を消毒する拠点防疫センター１０と、複数個の拠点防疫センター１０から消毒された車両の情報を受信及び提供するサーバー２０と、サーバー２０から消毒車両情報を受信する機関端末３０とを含む。
【００２３】
拠点防疫センター１０は、例えば、特定の地域の主要道路に設置され、出入り対象車両の消毒及び消毒済みの車両に消毒済証書類を提供し、当該車両情報（例えば、車両番号と消毒日付）をサーバー２０に送信する。
【００２４】
サーバー２０は、拠点防疫センター１０から受信された車両情報をデータベースに格納し、これを定期的又はリアルタイム、又は要求時ごとに機関端末３０に提供する。
【００２５】
ここで、機関端末３０は、公共機関（例えば、消防署、防疫機関、警察署など）のように防疫業務に必要な公共機関の端末に該当することができる。また、機関端末３０は、サーバー２０として現場の公務員が所持する現場端末へ情報を送信することも可能である。
【００２６】
すなわち、本発明は、主要道路又は対象地域の設定位置に少なくとも一つの拠点防疫センター１０が設置され、消毒車両を証憑することができる、例えば消毒済証ステッカーを発行し、対象車両の情報をサーバー２０に提供することにより、防疫対象である地域の車両統制を容易にすることができる。
【００２７】
併せて、拠点防疫センター１０は、天候や温度などの気象状況に影響を受けないように密閉空間内で車両を消毒することができ、特に冬季に凍破による問題点を改善することができる。
【００２８】
ここで、拠点防疫センター１０は、防疫に必要な装備が組み合わされた構成を意味し、実際には、人の手作業によって動作する装置と、プログラミングによって自動制御される構成とが相互連携された装置を意味する。
【００２９】
詳細には、拠点防疫センター１０は、車両を収容する防疫ハウジング６００と、防疫ハウジング６００に進入する車両を認識する車両認識器１００と、防疫ハウジング６００に進入した車両を洗浄及び消毒する防疫部材３００と、防疫部材３００を制御するコントロールボックス４００とを含む。
【００３０】
車両認識器１００は、防疫ハウジング６００の入口側に設置され、移動した車両番号を検知する。車両認識器１００は、車両との近距離無線通信（例えば、ＲＦ無線通信）を介して車両番号を認識するか或いは映像カメラを介して車両番号を撮影して運営端末５００及び／又はコントロールボックス４００に出力する。
【００３１】
ここで、映像カメラは、防疫ハウジング６００と対人消毒室７００にそれぞれ設置され、車両及び対人消毒過程を撮影することができる。撮影された映像は、運営端末へ出力され、向後、遠隔地に位置したサーバーに送信できる。
【００３２】
さらに、車両認識器１００は、車両の出入りを統制するために遮断器（図示せず）をさらに備えることができる。
【００３３】
ここで、車両認識器１００は、センサー部４２０から車両検知信号を直接受信して車両番号を認識することも可能であり、センサー部４２０の車両検知信号を受信したコントロールボックス４００／運営端末５００の制御によって車両番号を認識することも可能である。
【００３４】
消毒済証発券機２００は、コントロールボックス４００及び／又は運営端末５００の制御によって、防疫ハウジング６００から移動した車両に消毒済みの車両であることを立証する証憑資料（例えば、車両に接着可能なステッカーであって、以下では消毒済証ステッカーと総称する）を発券する。
【００３５】
消毒済証発券機２００で発券された消毒済証ステッカーには、車両番号、消毒日付、拠点防疫センター１０ごとに与えられた固有識別情報、及び消毒したか否かのうちの少なくとも一つが含まれることができる。
【００３６】
ここで、消毒済証発券機２００は、センサー部４２０の車両検知信号が受信されると、消毒済証ステッカーを発券するか、或いはセンサー部４２０の車両検知信号の受信状況に応じたコントロールボックス４００の制御によって消毒済証ステッカーを発券することができる。
【００３７】
このため、消毒済証発券機２００は、対人消毒室７００又は防疫ハウジング６００の出口側のうちのいずれか一つに設置できる。
【００３８】
防疫ハウジング６００は、図３及び図１３を参照すると、屋根６１０、壁面６２０及び床面６３０から構成され、入口と出口をそれぞれ開閉させる入口シャッター６４０と出口シャッター６５０を含む。
【００３９】
また、防疫ハウジング６００は、ドア６６０を介して連結された運転者待機室又は人体検疫のための対人消毒室７００と、水供給部３１０及び消毒液供給部３２０が設置された機械室８００とをさらに含むことができる。
【００４０】
消毒済証発券機２００は、運転者待機室又は対人消毒室７００の内外側に設置されるか、或いは出口シャッター６５０の外側に設置され得る。
【００４１】
壁面６２０は、透明（又は非透明）なプラスチック、ガラス又は金属材質の壁パネル６２３と、床面６３０に直立した垂直フレーム（例えば、ステンダクト）と、垂直フレーム同士の間で水平に延長される複数個の水平フレーム（例えば、ステンダクト）とで構成できる。
【００４２】
防疫ハウジング６００の床面６３０は、冬季に消毒液及び洗浄液を供給する配管及びノズルが凍結することを防止するために熱線６３１が施工された後、コンクリートなどの建築材が打設される。また、床面６３０は、車両の消毒液及び洗浄液を排水することができるように、床面６３０に沿って延設された排水樋（図示せず）が形成できる。
【００４３】
防疫部材とコントロールボックスは、図２乃至図４を参照して説明する。
【００４４】
図２は拠点防疫センターの構成を簡略に示すブロック図、図３は防疫ハウジングを示す正面図、図４は防疫ハウジングの内部配置を簡略に示す平面図である。
【００４５】
図２乃至図４を参照すると、コントロールボックス４００は、車両を検知するセンサー部４２０と、防疫ハウジング６００内の熱線６３１を駆動させる熱線駆動部４３０と、防疫ハウジング６００の入口及び出口をそれぞれ開閉させる入口シャッター６４０と出口シャッター６５０を作動させるシャッター駆動部４４０と、運用端末５００との通信を行う通信部４５０と、防疫ハウジング６００内側の第１消毒噴射部３５０を駆動させる上部レール駆動部４６０と、第２消毒噴射部３６０の回転を制御する下部回転調節部４７０と、防疫ハウジング６００の入口側と出口側を遮断又は開閉させる遮断部４８０と、各構成を制御する制御部４１０とを含む。
【００４６】
シャッター駆動部４４０は、制御部４１０の制御によって、防疫ハウジング６００の入口と出口にそれぞれ設置された入口シャッター６４０と出口シャッター６５０を昇降させる。
【００４７】
遮断部４８０は、第１遮断器４８１と第２遮断器４８２を備える。第１遮断器４８１は、入口側から車両認識器１００の認識に基づいて制御部４１０の制御によって開放され、車両の通過後に遮断する。第２遮断器４８２は、出口側を遮断又は開放する。
【００４８】
ここで、遮断部４８０は、入口シャッター６４０と出口シャッター６５０の代わりに適用されるか、逆に入口シャッター６４０と出口シャッター６５０のみが設置されるか、遮断部４８０、入口シャッター６４０及び出口シャッター６５０が全て適用可能である。つまり、遮断部４８０とシャッター駆動部４４０は選択的に適用可能である。
【００４９】
センサー部４２０は、車両の進入を検知する第１センサー４２１と、防疫ハウジング６００の内側で車両の位置を検出する第２センサー４２２と、車両の進出を検出する第３センサー４２３と、防疫ハウジング６００のドア６６０の開閉状況を検知するドアセンサー４２４とを含む。
【００５０】
第１センサー４２１は、車両認識器１００の前又は後で車両を検知する。第１センサー４２１の車両検知信号は、防疫ハウジング６００の入口シャッター６４０の開放有無、第１遮断器４８１の作動有無、及び洗浄液噴射部３４０の作動有無を判断する基準として作用する。
【００５１】
第２センサー４２２は、防疫ハウジング６００の内側で車両の位置を検知する。第２センサー４２２は、入口シャッター６４０の閉鎖を決定する基準として作用する。
【００５２】
第３センサー４２３は、防疫ハウジング６００の出口側に設置され、車両の進出有無を検知して制御部４１０に出力する。
【００５３】
ドアセンサー４２４は、ドア６６０の開閉を検知する。ここで、車両の消毒は、車両内に人が存在しないときに行われるべきである。よって、車両の運転者は、ドア６６０を介して防疫ハウジング６００近くの待機場所（又は人体検疫／防疫施設）に移動し、ドアセンサー４２４は、防疫ハウジング６００と運転者待機場所に連結されるドア６６０の開放有無を検知する。このようなドアセンサー４２４の検知信号は、消毒を開始するか否かを決定する基準として作用する。
【００５４】
ここで、第１センサー４２１乃至第３センサー４２３は、地面又は防疫ハウジング６００の床面６３０に埋め込まれ、車両の荷重に応じた電気信号を出力する圧電センサー又は圧力センサーのうちのいずれか一つである。又は、第１乃至第３センサー４２１〜４２３のうちの少なくとも一つは、レーザーを用いて車両の通過有無を検知するレーザーセンサーを適用することも可能である。
【００５５】
このようなセンサーは、事業者や設計者によって多様な応用が可能なものであって、本明細書で記載されるものに限定されない。
【００５６】
制御部４１０は、第１センサー４２１乃至第３センサー４２３、ドアセンサー４２４の検知信号に応じて車両認識器１００、シャッター駆動部４４０、給湯部３１１、消毒噴射部３５０、洗浄液噴射部３４０、上部レール駆動部４６０、下部回転調節部４７０、消毒済証発券機２００を順次制御する。また、制御部４１０は、検知された車両番号及び／又は消毒過程を撮影した映像を運営端末５００に送信する。
【００５７】
熱線６３１及び熱線駆動部は、図５を参照して説明する。
【００５８】
図５は防疫ハウジング６００の床面に設置された熱線６３１の例を示す図である。
【００５９】
図５を参照すると、熱線駆動部４３０は、防疫ハウジング６００の床面６３０に施工された熱線６３１を作動させる。ここで、熱線６３１は、温水配管、又は電気エネルギーによって発熱する電線のうちのいずれかであり得る。したがって、熱線駆動部４３０は、温水ボイラー又は電線の電気レベルを調節することができる回路装置に該当することができる。
【００６０】
熱線６３１は、防疫ハウジング６００の床面６３０の内側には横及び縦方向に相互交差するように延長される基礎鉄筋６３２に固定された後、打設されるコンクリートによって埋め込まれた状態で施工される。
【００６１】
熱線６３１は、一つ又はそれ以上の熱線駆動部４３０から延長されて基礎鉄筋６３２によって固定された後、コンクリートなどの建築材が打設されることにより、床面６３０の内側に施工される。ここで、熱線６３１は、給湯部３１１によって加熱された温水が移動する温水配管又は電気信号によって発熱する導体のうちのいずれか一つに該当することができる。
【００６２】
すなわち、本発明において、防疫ハウジング６００は、床面に設置された熱線６３１によってオンドル形式の温熱装置が設置されることにより、冬季の凍破や凍結による損傷を防止することができる。
【００６３】
上部レール駆動部４６０は、防疫ハウジング６００の内側に設置される防疫部材の第１消毒噴射部３５０を前後方向に移動させる。上部レール駆動部４６０は、図６乃至図８を参照して説明する。
【００６４】
図６は上部レール駆動部４６０を簡略に示す図、図７は上部レール駆動部４６０のストッパー４６６及びリミットセンサー４６５を示す図、図８は上部レール駆動部４６０のリミットセンサー４６５の動作を説明するための簡略図である。
【００６５】
図６乃至図８を参照すると、上部レール駆動部４６０は、第１モーター４６１と、防疫ハウジング６００の内側壁面から一方向に延長されたレール４６７と、第１モーター４６１によって発生した駆動力でレール４６７に沿って前後方向に移動するレール台車４６２と、第１モーター４６１の回転力をレール台車４６２に伝達する上部回転軸４６３と、レール４６７を支持するレール支持手段４６８と、レール台車４６２の移動を停止させるストッパー４６６と、レール台車４６２の通過有無を検知するリミットセンサー４６５と、リミットセンサー４６５を支持するセンサー支持ブラケット４６４とを含む。
【００６６】
レール４６７は、防疫ハウジング６００の内側壁面からそれぞれ延長される。ここで、レール４６７は、防疫ハウジング６００の壁面から水平に突出するレール支持手段４６８によって固定及び支持できる。
【００６７】
レール台車４６２は、防疫ハウジング６００の両側壁面に設置されたレール４６７に沿って前後方向に移動する。ここで、レール台車４６２は、図１３に示すように、第１消毒噴射部３５０が連結される。よって、レール台車４６２と第１消毒噴射部３５０は、第１モーター４６１の回転方向に沿って同時に移動する。
【００６８】
第１モーター４６１は、後述する支持フレーム３７０によって防疫ハウジング６００の上側に設置され、レール台車４６２の駆動力を発生させる。ここで、第１モーター４６１から発生した駆動力は、ギアとチェーンで連結された上部回転軸４６３を介してレール台車４６２に伝達される。
【００６９】
ストッパー４６６は、レール４６７の上面に固定され、レール台車４６２の移動を阻止する。例えば、ストッパー４６６は、レール４６７の両側端又はレール台車４６２の移動を阻止するように設定された位置に固定され、レール台車４６２の移動を阻止する。
【００７０】
センサー支持ブラケット４６４は、レール４６７の下面又は防疫ハウジング６００の壁面のうちのいずれか一つから延長され、リミットセンサー４６５がレール４６７の上面に位置するように支持する。
【００７１】
リミットセンサー４６５は、センサー支持ブラケット４６４によってレール４６７の上側に設置される。ここで、リミットセンサー４６５は、双方向又は一方向に回転可能な棒状に形成される。よって、リミットセンサー４６５は、レール台車４６２によって一方向に回転しながら、検知信号を出力することができる。リミットセンサー４６５の検知信号は、信号線４６５ａを介して制御部４１０に出力される。
【００７２】
よって、制御部４１０は、リミットセンサー４６５の検知信号に応じて第１モーター４６１を制御してレール台車４６２を前後方向に移動させることができる。
【００７３】
ここで、レール台車４６２は、ハウジングの内側で上部回転軸から伝達された回転力によって回転する回転ローラー（図面番号が付与されず）と、ハウジングの外側で上部回転軸に連結されるチェーン及びギア（図面番号が付与されず）と、ハウジングの外側でリミットセンサー４６５との接触のために一方向に延長される検知板４６２ａとをさらに含むことができる。検知板４６２ａは、レール台車４６２から一方向に延長されるパネルであって、リミットセンサー４６５を回転させる。
【００７４】
下部回転調節部４７０は第２消毒噴射部３６０の回転方向を調節する。これは図９及び図１０を参照して説明する。
【００７５】
図９は下部回転調節部を簡略に示す平面図、図１０は下部回転調節部の第２消毒噴射部の回転検知作用を簡略に示す正面図である。
【００７６】
図９及び図１０を参照すると、下部回転調節部４７０は、防疫ハウジング６００の床面に埋め込まれた第２消毒噴射部３６０を回転させる第２モーター４７１と、第２モーター４７１の回転軸の回転範囲を検知する一対の回転検知センサー４７３、４７３´と、第２モーター４７１の回転軸と一体に形成された検知棒４７２とを含む。
【００７７】
第２モーター４７１は、例えば、防疫ハウジング６００の床面において一方向に延長される第２消毒噴射部３６０の一側に設置され、第２消毒噴射部３６０を回転させる。ここで、第２モーター４７１は、下部回転軸４７１ａを介して第２消毒噴射部３６０に連結される。
【００７８】
検知棒４７２は、第２モーター４７１の回転軸から外側に延長形成される。よって、検知棒４７２は、回転軸の回転方向と一致するように回転する。
【００７９】
回転検知センサー４７３、４７３´は、一対であって、下部回転軸４７１ａを中心に両側にそれぞれ設置される。よって、回転検知センサーは、検知棒４７２が回転しながら接触又は設定された範囲内に位置すると、検知して制御部４１０へ検知信号を出力する。ここで、検知棒４７２は磁石で構成され、回転検知センサー４７３、４７３´は磁力を検知するセンサーで構成され得る。
【００８０】
したがって、制御部４１０は、第２モーター４７１を中心に両側にそれぞれ設置された第１回転検知センサー４７３と第２回転検知センサー４７３´から検知信号を受信して第２モーター４７１の回転方向を変更する。
【００８１】
防疫部材３００は、洗浄液及び消毒原液の希釈用水を供給する水供給部３１０と、消毒原液を貯蔵する消毒液供給部３２０と、洗浄液を噴射させる洗浄液噴射部３４０と、上側から車両の上部及び側部に消毒液を噴射する第１消毒噴射部３５０と、車両の下部に消毒液を噴射する第２消毒噴射部３６０とを含む。
【００８２】
水供給部３１０は、水を貯蔵及び供給する給水部３１２と、給水部３１２の水を加熱する給湯部３１１とを含む。ここで、給水部３１２及び給湯部３１１は、コントロールボックス４００の制御命令に基づいて水を供給し、加熱する。このため、水供給部３１０は、ポンプ（図示せず）と、水の洗浄力及び消毒力を高めることができるようにラジカル発生装置（図示せず）などをさらに含むことができる。
【００８３】
給湯部３１１は、水供給部３１０から供給される水を加熱する。例えば、給湯部３１１は、温水ボイラーであって、水供給部３１０から供給された水を所定の温度（例えば、３０℃以上）に加熱して、防疫ハウジング６００に架設された複数個の配管で供給する。
【００８４】
ここで、水供給部３１０から供給された水は、給湯部３１１によって加熱され、洗浄液と消毒液の希釈液として使用される。
【００８５】
消毒液供給部３２０は、消毒原液をコントロールボックス４００の制御命令に基づいて配管を介して消毒原液を供給する。この時、供給される消毒原液は、給湯部３１１で加熱された水によって希釈され、配管を介して防疫ハウジング６００へ供給される。このため、消毒液供給部３２０は、水供給部３１０と消毒液供給部３２０の消毒原液及び温水を吸引及び混合させる混合ポンプ（図示せず）と混合タンク（図示せず）をさらに含むことができる。
【００８６】
第１消毒噴射部３５０は上部供給配管３３３、第２消毒噴射部３６０は下部供給配管３３４を介して消毒液の供給を受ける。
【００８７】
すなわち、本発明は、車両の洗浄のために使用される洗浄液と、消毒のために使用される消毒液が所定の温度に加熱された状態で供給されることにより、寒波が続いても配管やノズルなどが凍らないようにする。
【００８８】
洗浄液噴射部３４０は、進入した車両の下部に水を噴射して洗浄させる下部洗浄手段３４１と、車両の側部から洗浄液を噴射させる側部洗浄手段３４２とを含む。
【００８９】
ここで、下部洗浄手段３４１は図３及び図１１、側部洗浄手段は図３及び図１２を参照して説明する。
【００９０】
図１１は下部洗浄手段を簡略に示す平面図である。
【００９１】
図１１を参照すると、下部洗浄手段３４１は、入口側の床面６３０から離隔した支持パネル３４１ａと、支持パネル３４１ａの上面に露出される第１洗浄ノズル３４１ｃとを含む。
【００９２】
支持パネル３４１ａは、例えば、鋳造成形された金属板材であって、上面、及び上面を支持する壁面で形成され、内側に離隔した空間を形成する。ここで、支持パネル３４１ａの上面は、複数個の排水口３４１ｂと、第１洗浄ノズル３４１ｃが露出するように貫通した複数個の開口が形成できる。
【００９３】
また、支持パネル３４１ａは、内側で地面から離隔した上面に加わる車両の荷重を支持することができるように直立した複数個の支持棒（図示せず）をさらに含むことができる。
【００９４】
ここで、支持パネル３４１ａが設置される床面６３０は、排水樋６３１側に下方傾斜した傾斜面をなすようにして、上面の排水口３４１ｂを介して内側に流入した洗浄液を案内することが好ましい。又は、支持パネル３４１ａが設置された床面６３０には、下方傾斜した溝をなして、排水された洗浄液を集めることができる沈澱槽（図示せず）が設置できる。
【００９５】
また、沈殿槽（図示せず）は、設定された時間（例えば４時間）を保管した後、放流するように設定されることが好ましい。沈殿槽に保管された消毒液及び洗浄液の廃水は、コントロールボックスの制御によって開閉される水門を含むことができる。ここで、沈澱槽（図示せず）は、下水溝又はその他の浄化施設に連結できる。
【００９６】
第１洗浄ノズル３４１ｃは、複数個であって、床面６３０、又は床面６３０の内側に施工された配管から供給される洗浄液を車両の下部に噴射する。図面に示された洗浄ノズルは、公知の噴射ノズルを適用することにより簡略に図示されたものである。
【００９７】
また、下部洗浄手段３４１が設置された床面６３０の内側には、上述したように熱線６３１が施工されることにより、冬季にも一定の温度を維持することができるので、第１洗浄ノズル３４１ｃとこれに連結される配管に氷が形成されないため、冬でも洗浄が可能である。
【００９８】
図１２は側部洗浄手段を簡略に示す図である。
【００９９】
図１２を参照すると、側部洗浄手段３４２は、防疫ハウジング６００の入口側で下部洗浄手段３４１を中心に両側にそれぞれ直立するように設置され、下部洗浄手段３４１を通過する車両の下部に洗浄液を噴射する。より詳細には、側部洗浄手段３４２は、水供給部３１０から延長された配管又は水を供給する供給フレーム３４２ａと、水を噴射する第２洗浄ノズル３４２ｃと、第２洗浄ノズル３４２ｃを支持する配管フレーム３４２ｂと、配管フレーム３４２ｂと供給フレーム３４２ａとを連結する連結棒３４２ｄとを含む。
【０１００】
供給フレーム３４２ａは、床面６３０に直立する、例えば逆「Ｕ」字型のフレームであって、内側に配管又は水を案内するように空き空間が形成される。ここで、供給フレーム３４２ａは、水供給部３１０で加熱された温水を連結棒３４２ｄを介して配管フレーム３４２ｂの内側に案内及び供給する。このとき、供給フレーム３４２ａ自体が配管の役割を果たすか、或いは別途の配管を内側に収容して案内することができる。
【０１０１】
連結棒３４２ｄは、複数個であって、供給フレーム３４２ａと配管フレーム３４２ｂとの間にそれぞれ延長形成され、配管フレーム３４２ｂを供給フレーム３４２ａに固定させる。このとき、連結棒３４２ｄは、内側に空き空間を形成して、供給フレーム３４２ａを介して供給された水又は配管を配管フレーム３４２ｂへ案内する。
【０１０２】
配管フレーム３４２ｂは、連結棒３４２ｄを介して案内及び供給された水を第２洗浄ノズル３４２ｃに供給する。
【０１０３】
第２洗浄ノズル３４２ｃは、配管フレーム３４２ｂの外面に複数個が設置され、下部洗浄手段３４１を通過する車両の側部に洗浄液を噴射する。ここで、洗浄液は、給湯部３１１で加熱された温水に該当することができる。
【０１０４】
第１消毒噴射部３５０及び支持フレーム３７０は、図１３及び図１４を参照して説明する。
【０１０５】
図１３は第１消毒噴射部３５０を示す図、図１４は第１消毒噴射部３５０の支持フレーム３７０を示す斜視図である。
【０１０６】
図１３及び図１４を参照すると、第１消毒噴射部３５０は、レール台車４６２に固定された支持フレーム３７０に沿って下方に延長される第１配管３５２と、第１配管３５２から消毒液を噴射する複数個の第１消毒ノズル３５１とを含む。
【０１０７】
支持フレーム３７０は、レール台車４６２に固定される一対の側部３７０ａと、両側部３７０ａを連結するように水平に延長される上部３７０ｂとから構成され、第１消毒噴射部３５０の第１配管３５２と、レール台車４６２を駆動させる第１モーター４６１及び上部回転軸４６３を支持するとともに、上部供給配管３３３と第１配管３５２との間に連結される分岐管を支持する役割を果たす。
【０１０８】
側部３７０ａは、長さ方向に延長される一対の垂直バー３７１と、垂直バー３７１同士の間に水平連結される複数個の水平バー３７２とからなることができる。
【０１０９】
垂直バー３７１は、上側でレール台車４６２の一面に固定された状態で下方に延長される。この時、垂直バー３７１の一面には、第１消毒噴射部３５０の第１配管３５２が固定される。
【０１１０】
水平バー３７２は、複数個が上下方向に相互離隔して垂直バー３７１同士の間を固定させる。
【０１１１】
上部３７０ｂは、側部３７０ａの上端から相互離隔した状態で両側部３７０ａの上端に延長される一対の下部延長バー３７３と、下部延長バー３７３の上側で延長される上部延長バー３７４と、下部延長バー３７３と上部延長バー３７４との間でジグザグ状に連結される連結バー３７５とを含むことができる。
【０１１２】
ここで、下部延長バー３７３は相互離隔している一対であり、上部延長バー３７４は単一の構成に該当する。このような支持フレーム３７０の上部は、第１モーター４６１が収容及び固定される空間を提供することができる。例えば、下部延長バー３７３を相互連結するパネルを設置し、その上側の上部延長バー３７４に連結される直立板を設置することにより、第１モーター４６１が固定できる構造を形成することができる。
【０１１３】
また、支持フレーム３７０の上部３７０ｂは、上部供給配管３３３から第１配管３５２に分岐できるように分岐管などを支持することができる。
【０１１４】
まとめると、支持フレーム３７０は、第１消毒噴射部３５０を防疫ハウジング６００の内側で前後方向に移動可能に支持する役割を果たす。
【０１１５】
また、第１消毒噴射部３５０の第１配管３５２は、支持フレーム３７０の下部延長バー３７３と垂直バー３７１にそれぞれ固定され、消毒液供給部３２０及び水供給部３１０からそれぞれ供給された消毒原液と水とが混合されて供給された消毒液を案内する。
【０１１６】
このとき、第１配管３５２は、下部延長バー３７３と垂直バー３７１によって支持され、支持フレーム３７０の上部で両側部３７０ａに形成される一対の垂直バー３７１を介して延長されるように分岐する。
【０１１７】
第１消毒ノズル３５１は、支持フレーム３７０の両側部に延長された第１配管３５２に設置されることにより、防疫ハウジング６００へ移動した車両の上部と側部に消毒液を噴射する。例えば、第１配管３５２は、側部３７０ａごとに二つの垂直バー３７１にそれぞれ延長されるので、合計４つの垂直バー３７１にそれぞれ延長される。したがって、第１消毒ノズル３５１は、垂直バー３７１を基準にグループを設定する場合には、合計４つの垂直バー３７１にそれぞれ一つのグループが設置できる。
【０１１８】
また、第１配管３５２は、上部供給配管３３３を介して消毒液の供給を受ける。ここで、上部供給配管３３３は、防疫ハウジング６００の天井面６１１に固定された配管支持手段３８０によって固定される。
【０１１９】
つまり、上部供給配管３３３は、第１モーター４６１の駆動によってレール台車４６２が移動すると、これに固定された第１配管３５２が移動するにつれて、上部供給配管３３３もこれに伴って巻き又は延長などの動作を繰り返し行って長さが調節されることが好ましい。このような配管支持手段３８０は、図１５を参照して説明する。
【０１２０】
図１５は配管支持手段３８０を簡略に示す図である。
【０１２１】
図１５を参照すると、配管支持手段３８０は、天井面６１１から下方に延長される一対の掛け棒３８１と、両側の掛け棒３８１同士の間に連結され、上部供給配管３３３が繰り出されたり巻き取られたりすることができるように支持する掛け軸３８２とを含む。
【０１２２】
一対の掛け棒３８１は、天井面６１１の一側と反対側（例えば、防疫ハウジング６００の入口側と出口側）に離隔して固定される。
【０１２３】
掛け軸３８２は、掛け棒３８１同士の間で連結される。ここで、掛け軸３８２は、鉄線又は棒で構成できる。上部供給配管３３３は、第１配管３５２に連結された端部と防疫ハウジング６００の外側に延長される反対側との間が掛け軸３８２に巻き取られたり掛けられたりした状態で支持される。
【０１２４】
したがって、上部供給配管３３３は、支持フレーム３７０が前方又は後方に移動するときに掛け軸の外面に対して巻き取られたり繰り出されたりして長さが調節されるので、第１配管３５２との連結状態を維持する。
【０１２５】
第２消毒噴射部３６０は、図１６を参照して説明する。図１６は第２消毒噴射部３６０を示す斜視図である。
【０１２６】
図１６を参照すると、第２消毒噴射部３６０は、第２モーター４７１の下部回転軸４７１ａと連動して回転する第２配管３６１と、第２配管３６１の外面に相互離隔して設置される複数個の第２消毒ノズル３６２と、第２配管３６１の回転を支持する回転支持手段３６３と、第２配管３６１を密閉させるように床面から延長される下部筐体３６４とを含む。
【０１２７】
第２配管３６１は、上述した第２モーター４７１の下部回転軸４７１ａと連動して双方向に回転する。ここで、第２モーター４７１の下部回転軸４７１ａに連結される第２配管３６１は、第１消毒噴射部３５０に延長される上部供給配管３３３から分岐した下部供給配管３３４を介して消毒液の供給を受ける。
【０１２８】
第２消毒ノズル３６２は、第２配管３６１の外面に複数個が相互離隔して設置される。
【０１２９】
回転支持手段３６３は、連通する第２配管３６１の回転を支持することができるようにベアリングを備えて床面に固定される。つまり、回転支持手段３６３は、防疫ハウジング６００の床面上で一方向に延長された第２配管３６１を地面から離隔した状態で回転可能に支持する。
【０１３０】
下部筐体３６４は、第２配管３６１の上側に沿って一方向に延長される。ここで、下部筐体３６４は、第２消毒ノズル３６２が露出できるように設定された間隔ごとに開口３６４ａが形成され、両側下端から水平に延長されて床面６３０に密着する接着段３６４ｂが形成される。
【０１３１】
接着段３６４ｂは、床面６３０に固定させる固定手段（例えば、ボルト、釘）が連通する。すなわち、下部筐体３６４は、床面に密着する接着段３６４ｂに固定手段が挿入されて床面に固定される。
【０１３２】
本発明は、上述したような構成を含み、以下では、本発明に係る回転及び移動型噴射装置が備えられた拠点防疫システムの制御方法を図１７を参照して説明する。
【０１３３】
図１７は本発明に係る回転及び移動型噴射装置が備えられた拠点防疫システムの制御方法を示すフローチャートである。
【０１３４】
図１７を参照すると、本発明は、熱線駆動及び給湯オンを行うＳ１００ステップと、車両を検知するＳ２００ステップと、入口を開放するＳ３００ステップと、洗浄液を噴射するＳ４００ステップと、ドア６６０の開閉を検知するＳ５００ステップと、消毒液を噴射するＳ６００ステップと、出口を開放するＳ７００ステップと、消毒済証を発券するＳ８００ステップと、情報を送信するＳ９００ステップとを含む。
【０１３５】
Ｓ１００ステップは、給湯部３１１が駆動されて給水部３１２の水を所定の温度に加熱し、熱線６３１が稼動されて防疫ハウジング６００の内部が設定温度に保温を維持するステップである。
【０１３６】
つまり、防疫ハウジング６００の内側は、床面６３０に埋め込まれて設置された熱線６３１から発熱した熱によって設定温度以上に維持できるため、真冬でも洗浄液及び／又は消毒液を案内及び噴射する配管及びノズルが凍らないようにする。
【０１３７】
また、給湯部３１１は、制御部４１０の制御によって、給水部３１２に貯蔵された水が、例えば３０℃以上を維持することができるように、加熱及び供給する。
【０１３８】
このような熱線駆動部４３０及び給湯部３１１の作動は、コントロールボックス４００又は運営端末５００で設定されたプログラミングに基づいて設定温度以下となるときに自動的に作動するか、或いは別途の操作スイッチにより入力された命令によって実行され得る。すなわち、本発明は、熱線６３１及び温水の供給は、自動と手動の両方が可能であることが好ましい。
【０１３９】
Ｓ２００ステップは、車両認識器１００で車両番号を検知するステップである。車両認識器１００は、第１センサー４２１の車両検知信号が受信されると、当該車両との近距離無線通信を介して車両番号を認識する。ここで、車両認識器１００は、ディスプレイを備えて、認識された車両番号を出力することも可能である。
【０１４０】
又は、車両認識器１００は、制御部４１０の制御によってカメラを作動させて車両の車両番号を撮影及び認識した後、ディスプレイを介して出力することも可能である。
【０１４１】
車両認識器１００で認識された車両番号及び／又は映像／写真は、制御部４１０によって運営端末５００に送信される。
【０１４２】
また、制御部４１０は、第１センサー４２１の検知信号が受信されると、車両認識器１００で検知された車両のナンバープレートを撮影することができる。又は、防疫ハウジング６００の内側で車両の洗浄及び消毒過程を撮影するように映像カメラを駆動させることができる。
【０１４３】
Ｓ３００ステップは、制御部４１０の制御によって入口シャッター６４０が開放されるステップである。ここで、制御部４１０は、第１センサー４２１の車両検知及び車両認識器１００の車両番号認識のうちの少なくとも一つが完了すると、シャッター駆動部４４０を制御して入口シャッター６４０を開放するように制御する。
【０１４４】
また、制御部４１０は、車両認識器１００と一体に又は独立して設置された第１遮断器４８１を制御して車両の進入を許可することができる。したがって、車両は、第１センサー４２１を介して防疫ハウジング６００の入口に進入することができる。
【０１４５】
Ｓ４００ステップは、制御部４１０の制御によって入口シャッター６４０が開放された後又は同時に洗浄液噴射部３４０が作動して、下部洗浄手段３４１及び側部洗浄手段３４２で洗浄液が噴射されて車両を洗浄するステップである。ここで、車両は、防疫ハウジング６００に進入しながら、側部洗浄手段３４２同士の間の床面６３０に固定された下部洗浄手段３４１の上側を介して防疫ハウジング６００の内側に進入する。
【０１４６】
ここで、第１洗浄ノズル３４１ｃは、下部支持パネル３４１ａの上面に形成される開口に複数個が設置され、第２洗浄ノズル３４２ｃは、入口の両側で直立した供給フレーム３４２ａに固定された配管フレーム３４２ｂに複数個が設置される。
【０１４７】
したがって、第１洗浄ノズル３４１ｃは、給湯部３１１で加熱された温水が噴射されて車両の下部を洗浄し、第２洗浄ノズル３４２ｃは、車両の側部に向けて洗浄液を噴射する。
【０１４８】
また、第１洗浄ノズル３４１ｃと第２洗浄ノズル３４２ｃから噴射された洗浄液は、給湯部３１１によって加熱された温水を高圧で噴射して車両の側部と下部の塵や異物を除去する。
【０１４９】
よって、車両は、入口を介して防疫ハウジング６００の内側に進入する過程で洗浄される。
【０１５０】
また、制御部４１０は、第２センサー４２２から車両検知信号が受信されると、入口シャッター６４０を下降させ、下部洗浄手段３４１及び側部洗浄手段３４２の作動を停止する。
【０１５１】
つまり、車両は、防疫ハウジング６００の内側に一定距離以上移動すると、防疫ハウジング６００の入口シャッター６４０が閉鎖され、洗浄が中断される。
【０１５２】
Ｓ５００ステップは、ドアセンサー４２４の検知信号を受信するステップである。ここで、車両の運転者は、防疫ハウジング６００の設定位置まで車両を移動させた後、下車し、対人消毒室７００に入室する。この時、ドアセンサー４２４は、上述したような対人消毒室７００のドア６６０の開閉有無を検知して制御部４１０へ出力する。したがって、制御部４１０は、ドアセンサー４２４の検知信号に基づいて、消毒を開始するか否かを決定することができる。
【０１５３】
ここで、車両は、防疫ハウジング６００の床面６３０に設置される第２消毒噴射部３６０が車両下部の中心に位置するように移動する。
【０１５４】
Ｓ６００ステップは、制御部４１０の制御によって車両が消毒されるステップである。制御部４１０は、ドアセンサー４２４の検知信号が受信されると、自動的に第１消毒噴射部３５０と第２消毒噴射部３６０へ消毒液が供給されるようにし、上部レール駆動部４６０及び下部回転調節部４７０を作動させる。
【０１５５】
つまり、制御部４１０は、消毒液供給部３２０に貯蔵された消毒原液と、水供給部３１０から供給される温水とが所定の割合で混合されるように混合ポンプ及びバルブ３３１、３３２を制御して、第１消毒噴射部３５０及び第２消毒噴射部３６０へ、温水によって希釈された消毒液を供給するようにする。
【０１５６】
さらに、制御部４１０は、第１モーター４６１を駆動させて第１消毒噴射部３５０を前方又は後方に移動させ、第２モーター４７１を駆動させて第２消毒噴射部３６０を左右方向に回転させる。
【０１５７】
したがって、レール台車４６２は、第１モーター４６１の駆動力が上部回転軸４６３を介して伝達されることにより、内側のローラーが回転してレール４６７の上面に沿って前後方向に移動する。よって、第１消毒噴射部３５０は、レール台車４６２と同時に前後方向に移動しながら、車両の上部及び側部に消毒液を噴射する。
【０１５８】
また、第２モーター４７１は、左右方向に回転しながら、床面に設けられる第２配管３６１を左右方向に回転させる。
【０１５９】
ここで、制御部４１０は、所定の時間又はレール台車４６２の移動距離及び／又は区間、第２配管３６１の回転範囲が所定の基準に該当すると、自動的に第１消毒噴射部３５０及び第２消毒噴射部３６０に連結された供給配管３３３、３３４を遮断して消毒を停止させる。
【０１６０】
例えば、制御部４１０は、レール４６７の一方の端に設置されたリミットセンサー４６５からレール台車４６２の検知信号が受信されると、第１消毒噴射部３５０の駆動を完了し、第１回転検知センサーの回転検知信号の後に第２回転検知センサー４７３´から第２消毒噴射部３６０の回転検知信号が受信されると、第２消毒噴射部３６０の消毒を完了することができる。
【０１６１】
Ｓ７００ステップは、制御部４１０がシャッター駆動部４４０を制御して出口シャッター６５０を昇降させるステップである。制御部４１０は、Ｓ６００ステップで消毒過程が完了すると、シャッター駆動部４４０を制御して出口シャッター６５０を昇降させる。
【０１６２】
好ましくは、制御部４１０は、視覚的及び／又は聴覚的信号で消毒完了を警報することも可能である。すなわち、本発明は、防疫ハウジング６００の内／外側で制御部４１０の制御によって消毒進行及び完了を表示する表示装置、及び信号音を出力するスピーカーのうちの少なくとも一つを含むことができる。
【０１６３】
このような消毒完了の警報信号は、対人消毒室７００又は運転者待機室に位置した運転者に消毒完了を知らせる。
【０１６４】
Ｓ８００ステップは、消毒済証発券機２００が制御部４１０の制御によって消毒済証ステッカーを発券するステップである。
【０１６５】
消毒済証発券機２００は、対人消毒室７００に設置できる。よって、先立って説明されたＳ７００ステップで対人消毒と車両消毒の両方が完了した後に、制御部４１０の制御によって消毒済証ステッカーを発券することができる。
【０１６６】
消毒済証ステッカーは、消毒日時だけを含むか、或いは車両番号、及び防疫ハウジング６００ごとに又は拠点防疫センター１０ごとに与えられた固有識別情報のうちの少なくとも一つを含むことができる。
【０１６７】
又は、消毒済証発券機２００は、防疫ハウジング６００の出口側に設置できる。このとき、車両は、出口を通過しながら、地面に設置された第３センサー４２３を通過する。
【０１６８】
よって、第３センサー４２３は、制御部４１０及び／又は消毒済証発券機２００に車両検知信号を送信し、消毒済証発券機２００は、制御部４１０から受信された車両番号及び消毒日時などの情報が含まれている消毒済証ステッカーを発券する。
【０１６９】
したがって、車両の運転者は、消毒済証発券機２００から発券されたステッカーを取得し、これを車両に付着させる。
【０１７０】
Ｓ９００ステップは、運営端末５００で消毒車両の情報（例えば、車両番号、日付及び時間、拠点防疫センター１０の固有識別情報、撮影映像及び／又はイメージ、消毒済証ステッカーの固有識別番号のうちの少なくとも一つ）を遠隔地のサーバー２０に送信するステップである。
【０１７１】
ここで、運営端末５００は、制御部４１０を介して認識された車両情報、消毒したか否か、映像及びイメージを受信し、これを自身のデータベースに格納し、遠隔地に位置したサーバー２０へ送信する。運営端末５００は、設定された時間又は日付の周期ごとに一度で消毒済証が発券された車両情報を送信するか、或いはリアルタイムで送信することができる。
【０１７２】
したがって、サーバー２０は、上述したような拠点防疫センター１０から受信された消毒済証ステッカーが発券された車両情報を受信及び格納し、現場の取り締まり及び検問所に位置した現場端末や機関端末３０の要求時に提供する。
【０１７３】
このように、本発明は、温水を用いた洗浄及び消毒と、内部が密閉された防疫ハウジング６００の内側に熱線６３１を備えることにより、真冬でも防疫が可能である。
【０１７４】
また、本発明は、防疫された車両の情報を取得し、これを防疫機関などに提供することにより、防疫機関などで防疫のための車両統制が非常に容易であって、防疫がより効果的に行われ得る。
【０１７５】
また、本発明は、前後方向に移動しながら車両の上部と側部を消毒し、左右方向に回転しながら車両の下部に消毒液を噴射することにより、車両全体への消毒液の噴射が可能であるため、完璧な防疫が可能である。
【図１】
2022501158.tif 000003
【図２】
2022501158.tif 000004
【図３】
2022501158.tif 000005
【図４】
2022501158.tif 000006
【図５】
2022501158.tif 000007
【図６】
2022501158.tif 000008
【図７】
2022501158.tif 000009
【図８】
2022501158.tif 000010
【図９】
2022501158.tif 000011
【図１０】
2022501158.tif 000012
【図１１】
2022501158.tif 000013
【図１２】
2022501158.tif 000014
【図１３】
2022501158.tif 000015
【図１４】
2022501158.tif 000016
【図１５】
2022501158.tif 000017
【図１６】
2022501158.tif 000018
【図１７】
2022501158.tif 000019
【国際調査報告】
2022501158.tif 000020
2022501158.tif 000021
2022501158.tif 000022
2022501158.tif 000023